(57)【要約】【課題】母線導体や電線等が隣接するスイッチギヤと接続される際、それらのスイッチギヤが背面板と干渉することなく絶縁距離を確保する必要がある。【解決手段】保守点検用開口と保守点検用開口を開閉する背面蓋体部と保守点検用開口を開又は閉状態で保持する保持具とを有し、背面蓋体部は平行配列された短冊状背面板で構成され、一方の短冊状背面板が開口縁部に第１ヒンジによって揺動自在に支持され、各短冊状背面板間は第２ヒンジによって蛇腹状に連結され、各短冊状背面板には短冊状背面板の折りたたみ時に重合して連通孔を形成する保持具貫挿用透孔が形成され、保守点検用開口の両開口縁部には、保持具貫挿用透孔と連通する取付孔が形成され、保持具は、連通孔と取付孔に挿通されることによって、常時、保守点検用開口を閉塞状態とし、保守点検時、背面蓋体部を折りたたみ状態で一括保持し保守点検用開口を開口状態に保持する部材で構成したものである。【選択図】図１
2017127147.tif 000002
【特許請求の範囲】
【請求項１】
天井部、床部、両側面部、背面部、正面扉で箱体が構成され、前記背面部に、保守点検用開口と、この保守点検用開口を開閉する背面蓋体部と、この背面蓋体部を前記箱体に対し前記保守点検用開口の開又は閉状態で保持する保持具とを有する金属閉鎖形スイッチギヤであって、前記背面蓋体部は、平行配列された複数の短冊状背面板で構成されると共に、両外側列の短冊状背面板のいずれか一方の短冊状背面板が、前記保守点検用開口のいずれか一方の開口縁部に第１ヒンジによって揺動自在に支持され、且つ各短冊状背面板間は、第２ヒンジによって折りたたみ又は引き延ばし自在に蛇腹状に連結され、各短冊状背面板には、当該短冊状背面板の折りたたみ時に重合して連通孔を形成する保持具貫挿用透孔がそれぞれ形成されると共に、前記保守点検用開口の互いに対向する両開口縁部には、前記保持具貫挿用透孔と連通する取付孔がそれぞれ形成され、前記保持具は、前記短冊状背面板を引き延ばして前記保守点検用開口を塞いだ時に、背面蓋体部自由端側の保持具貫挿用透孔と、この保持具貫挿用透孔と対向する前記開口縁部の取付孔とで形成された連通孔に貫挿され、前記短冊状背面板を引き延ばした状態で保持することによって前記保守点検用開口を閉塞状態とし、前記短冊状背面板を折りたたんで前記保守点検用開口を開けた保守点検時に、互いに重合状態となった前記保持具貫挿用透孔と、背面蓋体部支持端側開口縁部の取付孔とで形成された連通孔に貫挿され、前記背面蓋体部を折りたたみ状態で一括保持すると共に前記保守点検用開口を開口状態に保持する部材で構成されていることを特徴とする金属閉鎖形スイッチギヤ。
【請求項２】
前記保持具は、前記保持具貫挿用透孔に貫挿されるボルトと、前記背面蓋体部支持端側開口縁部に設けられ前記ボルトが螺入するネジ孔構造の前記取付孔とで構成されるか、或いはボルトとナットで構成されていることを特徴とする請求項１に記載の金属閉鎖形スイッチギヤ。
【請求項３】
前記背面蓋体部は、懸吊状態で横並びに平行配列された複数の短冊状背面板で構成されると共に、上方の最外側列の短冊状背面板が前記保守点検用開口の開口上縁部に第１ヒンジによって揺動自在に支持されていることを特徴とする請求項１に記載の金属閉鎖形スイッチギヤ。
【請求項４】
天井部、床部、両側面部、背面部、正面扉で箱体が構成され、前記背面部に、保守点検用開口と、この保守点検用開口を開閉する背面蓋体部とを有する金属閉鎖形スイッチギヤであって、前記背面蓋体部は、複数の短冊状背面板が縦並びに平行配列され且つ幅方向の２グループに分割された観音開き式背面蓋体部で構成されると共に、各グループの最外側列の両短冊状背面板が、前記保守点検用開口の両開口縁部に第１ヒンジによってそれぞれ揺動自在に支持され、且つ各グループの各短冊状背面板間は、第２ヒンジによって折りたたみ又は引き延ばし自在に蛇腹状に連結され、各グループの各短冊状背面板には、当該短冊状背面板の折りたたみ時に重合して連通孔を形成する保持具貫挿用透孔がそれぞれ形成され、各グループの前記短冊状背面板を引き延ばして各グループの内側列の両短冊状背面板を重合状態で固定することより前記保守点検用開口を閉塞状態とし、且つ前記固定を解除し各グループの前記短冊状背面板を折りたたみ重合することにより前記保守点検用開口を開口状態とすることを特徴とする金属閉鎖形スイッチギヤ。
【請求項５】
天井部、床部、両側面部、背面部、正面扉で箱体が構成され、前記背面部に、保守点検用開口と、この保守点検用開口を開閉する背面蓋体部と、この背面蓋体部を前記箱体に対し前記保守点検用開口の開又は閉状態で保持する保持具とを有する金属閉鎖形スイッチギヤであって、前記背面蓋体部は、懸吊状態で横並びに平行配列された複数の短冊状背面板で構成されると共に、最上方列の短冊状背面板が、前記保守点検用開口の開口上縁部に第１ヒンジによって揺動自在に支持され、且つ各短冊状背面板間は、第２ヒンジによって引き上げ折りたたみ又は引き下げ引き延ばし自在に蛇腹状に連結され、各短冊状背面板の長手両端部には、当該短冊状背面板の引き上げ折りたたみ時に重合して連通孔を形成する透孔がそれぞれ形成されると共に、前記保守点検用開口の開口縁部には、前記透孔に対応する通し孔がそれぞれ形成され、この通し孔及び前記透孔には、前記短冊状背面板を引き下げ引き延ばし操作することによって前記保守点検用開口を開閉する操作用引紐が挿通され、この操作用引紐には、保守点検時に前記短冊状背面板を引き上げ折りたたみ状態で一括保持する保持機構が設けられていることを特徴とする金属閉鎖形スイッチギヤ。
【発明の詳細な説明】
【技術分野】
【０００１】
この発明は、金属閉鎖形スイッチギヤ背面部の構造に関するものである。
【背景技術】
【０００２】
従来の金属閉鎖形スイッチギヤは、例えば特許文献１の図２に示されるように、床板、側面板、天井板、背面部材、正面扉で箱体が構成された金属閉鎖形スイッチギヤであって、前記背板部材は、背面を覆う背面板と、前記背面板の一側辺に一辺が固定されたヒンジと、前記ヒンジの他辺に固定されたヒンジベースと、前記ヒンジベースの両端部が移動自在に移動する背面側から正面側に延びた一対のレールとを有することを特徴とするものであった。これにより背面板を取り外すことなく箱体の背面側を開放し作業性の向上を図っていた。
【先行技術文献】
【特許文献】
【０００３】
【特許文献１】特開２０１２−８５４３８号公報
【発明の概要】
【発明が解決しようとする課題】
【０００４】
従来の列盤された金属閉鎖形スイッチギヤおいては、母線導体や電線等が隣接するスイッチギヤと接続される際、それらのスイッチギヤが背面板と干渉せず、絶縁距離を確保するためには、背面板の幅寸法に絶縁距離を加えた寸法以上の距離をおいて、スイッチギヤを前方に押し出すように配置したり、スイッチギヤの奥行寸法を大きくしたりしなければならなかった。それにより、スイッチギヤの製作コストが高くなったり、外形が大きくなることで、電気室も大きくなるため、設備費用が高くなったり、スイッチギヤの母線位置が背面から見て、奥側に配置されることで、前面操作、後面保守の面でスイッチギヤにおけるメンテナンス性を悪くしていた。
【課題を解決するための手段】
【０００５】
この発明に係わる金属閉鎖形スイッチギヤは、天井部、床部、両側面部、背面部、正面扉で箱体が構成され、前記背面部に、保守点検用開口と、この保守点検用開口を開閉する背面蓋体部と、この背面蓋体部を前記箱体に対し前記保守点検用開口の開又は閉状態で保持する保持具とを有する金属閉鎖形スイッチギヤであって、前記背面蓋体部は、平行配列された複数の短冊状背面板で構成されると共に、両外側列の短冊状背面板のいずれか一方の短冊状背面板が、前記保守点検用開口のいずれか一方の開口縁部に第１ヒンジによって揺動自在に支持され、且つ各短冊状背面板間は、第２ヒンジによって折りたたみ又は引き延ばし自在に蛇腹状に連結され、各短冊状背面板には、当該短冊状背面板の折りたたみ時に重合して連通孔を形成する保持具貫挿用透孔がそれぞれ形成されると共に、前記保守点検用開口の互いに対向する両開口縁部には、前記保持具貫挿用透孔と連通する取付孔がそれぞれ形成され、前記保持具は、前記短冊状背面板を引き延ばして前記保守点検用開口を塞いだ時に、背面蓋体部自由端側の保持具貫挿用透孔と、この保持具貫挿用透孔と対向する前記開口縁部の取付孔とで形成された連通孔に貫挿され、前記短冊状背面板を引き延ばした状態で保持することによって前記保守点検用開口を閉塞状態とし、前記短冊状背面板を折りたたんで前記保守点検用開口を開けた保守点検時に、互いに重合状態となった前記保持具貫挿用透孔と、背面蓋体部支持端側開口縁部の取付孔とで形成された連通孔に貫挿され、前記背面蓋体部を折りたたみ状態で一括保持すると共に前記保守点検用開口を開口状態に保持する部材で構成されているものである。
【発明の効果】
【０００６】
この発明の金属閉鎖形スイッチギヤによれば、背面蓋体部を取り外すことなく背面部側を開放でき、背面蓋体部をスイッチギヤ箱体内に収納する必要がないので、メンテナンススペースが十分確保できる。また、背面蓋体部を取り外すことなく箱体の背面側を開放できるので、特許文献１のように、メンテナンス時における背面板の取り付け、取り外し作業がなくなり、メンテナンス時の作業時間が短縮できる。また、背面蓋体部をスイッチギヤ内部に収納しないので、内部構成に影響を与えず、母線位置をスイッチギヤの前方に配置する必要がなく、前面操作、後面保守タイプのスイッチギヤにおいて、メンテナンス時に背面からスイッチギヤの母線の増締めをする際のアクセスポイントが近くなり作業性が良くなる。更に背面蓋体部が蛇腹状になるので、背面側のメンテナンススペースは、背面蓋体部の幅寸法以上のサイズを必要とせず、人が作業できる程度のスペースがあればよく、前記内部構成に影響を与えない理由から、盤の奥行寸法を大きくしたりする必要もないので、スイッチギヤの外形や電気室のサイズが抑えられ設備費用も安くなる。更にまた、背面蓋体部は折りたたんだ状態でコンパクトに固定できるので、作業の邪魔になることなくメンテナンス作業の実施が可能となる。
【図面の簡単な説明】
【０００７】
【図１】この発明の実施の形態１における金属閉鎖形スイッチギヤを示し、（ａ）は保守点検用開口の閉じた状態を示す斜視図、（ｂ）は保守点検用開口の開けた状態を示す斜視図である。
【図２】この発明の実施の形態２における金属閉鎖形スイッチギヤを示し、上部の保守点検用開口は閉じた状態を、下部の保守点検用開口は開けた状態を示す斜視図である。
【図３Ａ】この発明の実施の形態３における金属閉鎖形スイッチギヤの保守点検用開口が閉じられた状態を示す斜視図である。
【図３Ｂ】この発明の実施の形態３における金属閉鎖形スイッチギヤの保守点検用開口が開けられた状態を示す斜視図である。
【発明を実施するための形態】
【０００８】
以下、図面に基づいて、この発明の各実施の形態を説明する。
なお、各図間において、同一符号は同一或いは相当部分を示す。
【０００９】
実施の形態１．
図１に基づいてこの発明の実施の形態１における金属閉鎖形スイッチギヤを説明する。図１（ａ）は保守点検用開口の閉じた状態を示し（ｂ）は保守点検用開口の開けた状態を示す斜視図である。
図１において、１は天井部１ａ、床部１ｂ、両側面部１ｃ、背面部１ｄ、正面扉で構成された金属閉鎖形スイッチギヤの箱体で、背面部１ｄに、上下２個の保守点検用開口１１と、この保守点検用開口１１を開閉する背面蓋体部Ｄと、この背面蓋体部Ｄを保守点検用開口１１に対し開又は閉状態で保持する保持具６など備えている。
【００１０】
背面蓋体部Ｄは、縦並びに平行配列された複数の短冊状背面板Ｄ１で構成されると共に、両外側列の短冊状背面板のうち、左側（図１）の外側列短冊状背面板Ｄ１ａが、保守点検用開口１１の左側開口縁部１１ａに第１ヒンジ４ａによって揺動自在に支持されている。
各短冊状背面板Ｄ１の板間は、第２ヒンジ４ｂによって折りたたみ又は引き延ばし自在に蛇腹状に連結されている。
【００１１】
また、各短冊状背面板Ｄ１には、当該短冊状背面板の折りたたみ時に重合して連通孔を形成する保持具貫挿用透孔３がそれぞれ形成されている。そして、保守点検用開口１１の互いに対向する両側開口縁部１１ａ、１１ｂには、保持具貫挿用透孔３と連通する取付孔、すなわちネジ孔５ｂがそれぞれ形成されている。
【００１２】
実施の形態１の保持具６は、長尺ネジ（図示せず）と、両側開口縁部１１ａ、１１ｂに設けたネジ孔５ｂとの保持部材によって構成されている。
【００１３】
短冊状背面板Ｄ１を引き延ばして保守点検用開口１１を塞ぐ場合は、背面蓋体部自由端側である右側の外側列短冊状背面板Ｄ１ｆに設けた保持具貫挿用透孔３ｂに、長尺ネジ（図示せず）を貫挿し、更にこの長尺ネジを、ネジ孔５ｂにネジ込む。このネジ込みによって、短冊状背面板Ｄ１が引き延ばされた状態で固定保持され、保守点検用開口１１は背面蓋体部Ｄによって閉塞状態となる。
【００１４】
また、保守点検のため、短冊状背面板Ｄ１を折りたたんで保守点検用開口１１を開ける場合は、長尺ネジ（図示せず）を、互いに重合状態となった保持具貫挿用透孔３に貫挿し更にこの長尺ネジを、背面蓋体部支持端側（第１ヒンジ側）である左側開口縁部１１ａに設けたネジ孔５ｂにネジ込む。このネジ込みによって、短冊状背面板Ｄ１を交互に山折り、谷折りした状態で一括保持し、短冊状背面板Ｄ１を折りたたみ状態とすることによって保守点検用開口１１は開口状態となる。
【００１５】
なお、保持具６は、ネジ孔５ｂの代わりに、両側開口縁部１１ａ、１１ｂに、取付透孔５を開け、この取付透孔と外側列短冊状背面板Ｄ１ｆの保持具貫挿用透孔３ｂとに貫挿されるボルトと、このボルトと螺合する蝶ナットで構成することも可能である。
【００１６】
次に実施の形態１の変形例について説明する。
この変形例の場合、背面蓋体部Ｄは、横並びに平行配列された複数の短冊状背面板によって構成（図３Ａ、図３Ｂと同様の構造）されるものであって、上側の外側列短冊状背面板(図３ＡのＤ１ａに相当)が、第１ヒンジ４ａによって保守点検用開口の上方開口縁部１１ｃ、中間フレーム部１１ｄに揺動自在に支持され、背面蓋体部Ｄ全体が懸吊状態で支持されるものである。なお、保持具６は、実施の形態１と同様の構造のものが適宜採用される。
【００１７】
実施の形態２．
図２に基づいてこの発明の実施の形態２における金属閉鎖形スイッチギヤを説明する。図２は、実施の形態２における金属閉鎖形スイッチギヤを示し、上部の保守点検用開口は背面蓋体部Ｄで閉じた状態を、下部の保守点検用開口は背面蓋体部Ｄを開けた状態を示す斜視図である。
【００１８】
図２において、背面蓋体部Ｄは、複数の短冊状背面板Ｄ１が縦並びに平行配列され且つ複数の短冊状背面板Ｄ１は、幅方向の２グループに分割された観音開き式に構成されている。
短冊状背面板Ｄ１は、各グループで第２ヒンジ４ｂによって連結され、最外側列の両短冊状背面板Ｄ１ａは、第１ヒンジ４ａによって両側開口縁部１１ａ、１１ｂに揺動自在に支持されている。また、重なりができる自由端側である両内側列の短冊状背面板Ｄ１ｇの一方には、重なり部Ｓが段曲げ処理されており、この重なり部分には保持具取付用の連通孔が開けられており、一方の保持具取付孔３ｂ１にはネジ加工が施され、もう一方の保持具取付孔３ｂ２は透し孔であり、左右に２分割された背面蓋体部Ｄは、短冊状背面板Ｄ１ｇが重合した状態で、保持具取付孔３ｂ１にねじ込まれたネジ（図示せず）で固定される。なお、実施の形態１と同一構造の部分については説明を省略する。
【００１９】
背面蓋体部Ｄの開放は、図２の下部に示すように観音開きにすることで可能であり、箱体１の両側開口縁部（両側辺）１１ａ、１１ｂに向かって、短冊状背面板Ｄ１をそれぞれ交互に山折り、谷折りとすることで、蛇腹状になり、完全開放時には箱体１の両側辺に折りたたんだ状態で固定できる。
【００２０】
この実施の形態２によれば、実施の形態１と同様にメンテナンス作業性の向上やスイッチギヤのコスト、電気室のサイズが抑えられるといったメリットがある。その上、幅の広いスイッチギヤにおいて、背面蓋体部Ｄが取り外し式で、作業性を考慮し背面蓋体部Ｄを中央部で分割する必要がある場合には、背面蓋体部Ｄを固定するための支柱を設ける必要があるが、実施の形態２の背面蓋体部Ｄは、一方の外側列短冊状背面板Ｄ１ｇに設けたネジ孔にネジをねじ込むことで固定しているため、中央部に支柱を設ける必要がなく材料費の削減ができる。
【００２１】
実施の形態３．
図３Ａ、図３Ｂに基づいてこの発明の実施の形態３における金属閉鎖形スイッチギヤを説明する。
図３Ａは金属閉鎖形スイッチギヤの保守点検用開口が閉じられた状態を示し、図３Ｂは保守点検用開口が開けられた状態を示す斜視図である。
【００２２】
図３Ａ、図３Ｂにおいて、１は天井部１ａ、床部１ｂ、両側面部１ｃ、背面部１ｄ、正面扉で構成された金属閉鎖形スイッチギヤの箱体で、背面部１ｄの上部と下部に、保守点検用開口１１と、この保守点検用開口１１を開閉する背面蓋体部Ｄと、この背面蓋体部Ｄで保守点検用開口１１を開又は閉状態で保持する保持具６など備えている。
【００２３】
背面蓋体部Ｄは、複数の短冊状背面板で構成されると共に、上半部の背面蓋体部Ｄと下半部の背面蓋体部Ｄとに２分割され、両者とも懸吊状態で横並びに平行配列された複数の短冊状背面板Ｄ１で構成されている。
背面蓋体部Ｄは、上半部と下半部において、上側の外側列短冊状背面板Ｄ１ａが、保守点検用開口１１の上方開口縁部１１ｃ及び中間フレーム部１１ｄに、第１ヒンジ４ａによって揺動自在に支持され、更に各短冊状背面板Ｄ１の板間は、第２ヒンジ４ｂによって折りたたみ又は引き延ばし自在に蛇腹状に連結されている。
【００２４】
また、各短冊状背面板Ｄ１には、当該短冊状背面板の折りたたみ時に重合して連通孔を形成する透孔３がそれぞれ形成されている。そして、保守点検用開口１１の上方開口縁部１１ｃ及び中間フレーム部１１ｄには、上側の外側列短冊状背面板Ｄ１ａの透孔３ｃに対応して後述する操作用引紐７の第１通し孔５ｃが、また両側開口縁部１１ａ、１１ｂには第２通し孔５ｄがそれぞれ形成されている。
【００２５】
保持具６は、操作用引紐７と、この操作用引紐７を貫挿した円筒状の持ち手８とによって構成されている。
この操作用引紐７の下方端部は、下側の外側列短冊状背面板Ｄ１ｆの孔３ｆに装着され、大半は、短冊状背面板Ｄ１の透孔３を交互に縫うように挿通され、更に上側の外側列短冊状背面板Ｄ１ａの透孔３ｃから第１通し孔５ｃ更に第２通し孔５ｄへと挿通され、第２通し孔５ｄから箱体外部に出た端部には、プラスチック等で製作された円筒状の持ち手８が嵌通されている。なお、操作用引紐７は、後述するように持ち手８の下方における任意部分で結び目７ａを作ること自在になされている。
【００２６】
以上の構成において、保守点検用開口１１を塞ぐ場合は、図３Ａに示すように短冊状背面板Ｄ１を垂れ下げ引き延ばすことにより行われる。
また、保守点検のため、短冊状背面板Ｄ１を折りたたんで保守点検用開口１１を開ける場合は、図３Ｂに示すように持ち手８を下向き矢印方向に引っ張ることで、短冊状背面板Ｄ１が折りたたまれながら箱体１の上方開口縁部１１ｃ、又は中間フレーム部１１ｄに向かって上がっていく。持ち手８を操作用引紐７が出ている第２通し孔５ｄ付近まで持ち上げ短冊状背面板Ｄ１が完全に折りたたまれた状態で、持ち手８の下部に結び目７ａを作ってやることで、短冊状背面板Ｄ１の開放状態が保持される。なお、７ｂは持ち手脱落防止用の結び目である。
【００２７】
短冊状背面板Ｄ１の材質は、持ち手８を引っ張る作業を軽減するため、アルミ等の比重の軽い金属やプラスチック等を用いてもよい。また、持ち手８は市販の紐ストッパー等を用いて代用してもよい。
【００２８】
実施の形態３の金属閉鎖形スイッチギヤによれば、実施の形態１と同様のメリットがあることに加え、簡単に短冊状背面板Ｄ１の開閉作業が行え、ボルトで固定することなく、簡単に開放状態を保持することができる。当然のことながら、ボルト固定作業がなくなるためメンテナンス時間の削減が可能になる。
【００２９】
なお、この発明は、その発明の範囲内において、各実施の形態を組み合わせたり、各実施の形態を適宜、変形、省略することが可能である。
【符号の説明】
【００３０】
１：箱体、  １ｄ：背面部、  Ｄ：背面蓋体部、  Ｄ１：短冊状背面板、
Ｄ１ａ：左側又は上側の外側列短冊状背面板、
Ｄ１ｆ：右側又は下側の外側列短冊状背面板、
Ｄ１ｇ：外側列短冊状背面板、  ３：保持具貫挿用透孔、  ３ｂ：保持具貫挿用透孔、
３ｃ：上側の外側列短冊状背面板Ｄ１ａの透孔、
３ｆ：下側の外側列短冊状背面板Ｄ１ｆの孔
４ａ：第１ヒンジ、  ４ｂ：第２ヒンジ、  ５：取付透孔、  ５ｂ：ネジ孔、
６：保持具、  ７：操作用引紐、  １１：保守点検用開口、  １１ａ：左側開口縁部、
１１ｂ：右側開口縁部、  １１ｃ：上方開口縁部
【図１】
2017127147.tif 000003
【図２】
2017127147.tif 000004
【図３Ａ】
2017127147.tif 000005
【図３Ｂ】
2017127147.tif 000006